(57)【要約】【課題】人差指、中指、薬指および小指の各指の付根に縫目が位置せず、ゴルフクラブ等を握る時にグリップ感が良好である縫製手袋を提供する。【解決手段】小指部の指平部と指側面部を構成する一体部材を小指部の指平部の下端から下に延びる第１下延部を設けた形状にし、薬指部の指平部と指側面部を構成する一体部材を薬指部の指平部の下端から小指部側に向けて斜め横下に手平部の外側端まで延び、かつ第１下延部の下に縫合される弧状の第２下延部を設けた形状にし、中指部の指平部と指側面部を構成する一体部材を中指部の指平部の下端から小指部側に向けて斜め横下に手平部の外側端まで延び、かつ第２下延部の下に縫合される弧状の第３下延部を設けた形状にすると共に、手平部を構成する部材を人差指の指平部と指側面部を一体連結し、かつ第１下延部、第２下延部および第３下延部に対応する部分を除去して形成する。【選択図】図２
0003166431.tif 000002
【実用新案登録請求の範囲】
【請求項１】
手平部、手甲部、親指部、人差指部、中指部、薬指部および小指部を有し、前記中指部、前記薬指部および前記小指部の各指部の指平部と指側面部が、それぞれに一体部材からなり、前記各指部の指甲部に対して前記一体部材が縫合されるスポーツ用縫製手袋において、
前記小指部の前記指平部と前記指側面部を構成する第１一体部材を、前記小指部の前記指平部の下端から下に延びる第１下延部を設けた形状にし、前記薬指部の前記指平部と前記指側面部を構成する第２一体部材を、前記薬指部の前記指平部の下端から前記小指部側に向けて斜め横下に前記手平部の外側端まで延び、かつ前記第１下延部の下に縫合される弧状の第２下延部を設けた形状にし、前記中指部の前記指平部と前記指側面部を構成する第３一体部材を、前記中指部の前記指平部の下端から前記小指部側に向けて斜め横下に前記手平部の外側端まで延び、かつ前記第２下延部の下に縫合される弧状の第３下延部を設けた形状にすると共に、
前記手平部を構成する部材を、前記人差指の指平部と指側面部を一体連結し、かつ前記第１下延部、前記第２下延部および前記第３下延部に対応する部分を除去して形成していることを特徴とするスポーツ用縫製手袋。
【請求項２】
請求項１記載のスポーツ用縫製手袋において、
手平面の小指付根より下方の位置から中指付根付近に向けて延在している紋線である感情線に概ね相当する線から上側を覆う部分を前記第１下延部、前記第２下延部および前記第３下延部に対応する部分とし、前記手平部を構成する部材から除去していることを特徴とするスポーツ用縫製手袋。
【考案の詳細な説明】
【技術分野】
【０００１】
本考案は、天然皮革、合成皮革、布生地等を裁断して形成する複数の構成部材を縫合することにより作製されるスポーツ用縫製手袋に関する。
【背景技術】
【０００２】
従来、例えばゴルフ用縫製手袋には、人差指部、中指部、薬指部および小指部が、各指部の指甲部を構成する部材と、各指部の指平部および指側面部を一体的に構成する部材とから形成されたものがあり、このようなゴルフ用縫製手袋は、各指部が指甲部を構成する部材と、指平部を構成する部材と、指側面部を構成する部材（指ハギ部材）とからなるものに比して、指部の周りに縫製による縫目が少ないので、装着時の感覚が良好であるとされている（特許文献１）。
【先行技術文献】
【特許文献】
【０００３】
【特許文献１】実開平７−１８７６５号公報
【考案の概要】
【考案が解決しようとする課題】
【０００４】
しかしながら、上記した従来のゴルフ用縫製手袋は、人差指部、中指部、薬指部および小指部の各指部の指平部および指側面部を構成する一体の部材が、それぞれ手平部を構成する部材に対して各指の付根に相当する位置で縫合される形状にされていることから、各指の付根に相当する位置に縫目ができるので、装着感が必ずしも良好であるとは限らず、また、ゴルフクラブを握る時にグリップ感覚が非常に良くないとされることがある。
【０００５】
本考案は、上記した従来技術の問題点に鑑みて、これを解決するためになされたものであり、人差指部、中指部、薬指部および小指部の各指部の周りに形成される縫目を少なくし、かつ各指部の下端部の縫目を各指の付根に相当する位置から外すことにより、装着感が良好であり、グリップ感覚も良いスポーツ用縫製手袋を提供することを目的とする。
【課題を解決するための手段】
【０００６】
請求項１記載の考案に係るスポーツ用縫製手袋は、手平部、手甲部、親指部、人差指部、中指部、薬指部および小指部を有し、前記中指部、前記薬指部および前記小指部の各指部の指平部と指側面部が、それぞれに一体部材からなり、前記各指部の指甲部に対して前記一体部材が縫合されるスポーツ用縫製手袋において、前記小指部の前記指平部と前記指側面部を構成する第１一体部材を、前記小指部の前記指平部の下端から下に延びる第１下延部を設けた形状にし、前記薬指部の前記指平部と前記指側面部を構成する第２一体部材を、前記薬指部の前記指平部の下端から前記小指部側に向けて斜め横下に前記手平部の外側端まで延び、かつ前記第１下延部の下に縫合される弧状の第２下延部を設けた形状にし、前記中指部の前記指平部と前記指側面部を構成する第３一体部材を、前記中指部の前記指平部の下端から前記小指部側に向けて斜め横下に前記手平部の外側端まで延び、かつ前記第２下延部の下に縫合される弧状の第３下延部を設けた形状にすると共に、前記手平部を構成する部材を、前記人差指の指平部と指側面部を一体連結し、かつ前記第１下延部、前記第２下延部および前記第３下延部に対応する部分を除去して形成していることを特徴とする。
【０００７】
請求項２記載の考案に係るスポーツ用縫製手袋は、手平面の小指付根より下方の位置から中指付根付近に向けて延在している紋線である感情線に概ね相当する線から上側を覆う部分を前記第１下延部、前記第２下延部および前記第３下延部に対応する部分とし、前記手平部を構成する部材から除去していることを特徴とする。
【考案の効果】
【０００８】
本考案によれば、人差指部、中指部、薬指部および小指部の各指部の指甲部に対して、人差指部、中指部、薬指部および小指部の各指部の指平部および指側面部を構成する一体部材が縫合されるので、各指部周りの縫目によって不快な装着感が生じることが少ない。しかも、中指、薬指および小指の各指の付根に相当する位置より下方位置に概ね手平（掌）の曲がるラインに沿うように縫目が形成されるので、装着感を一層良好にできると共に、スポーツ用具を握る時のグリップ感覚を向上させることができる。
【図面の簡単な説明】
【０００９】
【図１】本考案の実施形態に係るスポーツ用縫製手袋の背面図である。
【図２】図１に示すスポーツ用縫製手袋の正面図である。
【図３】従来のゴルフ用縫製手袋の正面図である。
【図４】図３に示すゴルフ用縫製手袋の中指部、薬指部および小指部の各指部の指平部および指側面部を構成する一体部材の展開図である。
【考案を実施するための形態】
【００１０】
本考案の実施形態に係るスポーツ用縫製手袋について、図面を参照して説明する。
【００１１】
本考案の実施形態に係るスポーツ用縫製手袋１０は、例えば、ゴルフ、野球等のスポーツに使用されるものであって、手平部１２、手甲部１４、親指部１６、人差指部１８、中指部２０、薬指部２２および小指部２４を有している。手平部１２を構成する部材と手甲部１４を構成する部材とは、小指側端部で相互に縫合され、小指側端部の反対側に親指部１６を構成する部材が縫合されている。
【００１２】
人差指部１８、中指部２０、薬指部２２および小指部２４の各指部の指甲部１８Ａ、２０Ａ、２２Ａ、２４Ａは、図１に示すように、手甲部１４を構成する部材に一体連結して設けている。一方、中指部２０、薬指部２２および小指部２４の各指部の指平部２０Ｂ、２２Ｂ、２４Ｂは、それぞれ手平部１２を構成する部材とは別に裁断した部材から形成しており、これらの指平部２０Ｂ、２２Ｂ、２４Ｂを構成する部材には一体的に各指部の指側面部も設けている（図４参照）。人差指部１８の指平部１８Ｂと指側面部は、手平部１２を構成する部材に一体連結している
【００１３】
さらに、図２に示すように、小指部２４の指平部２４Ｂと指側面部を構成する第１一体部材には、小指付根に相当する指平部２４Ｂの下端から下に少し延びる第１下延部２４Ｃを設け、薬指部２２の指平部２２Ｂと指側面部を構成する第２一体部材には、薬指付根に相当する指平部２２Ｂの下端から小指部２４側に向けて斜め横下に手平部１２の外側端（小指部２４側端）まで延びていて、小指部２４の第１下延部２４Ｃの下に縫合される弧状の第２下延部２２Ｃを設け、中指部２０の指平部２０Ｂと指側面部を構成する第３一体部材には、中指付根に相当する指平部２０Ｂの下端から小指部２４側に向けて斜め横下に手平部１２の外側端まで延びていて、薬指部２２の第２下延部２２Ｃの下に縫合される弧状の第３下延部２０Ｃを設けている。
【００１４】
第１下延部２４Ｃ、第２下延部２２Ｃおよび第３下延部２０Ｃが、手平（掌）面の一部を部分的に覆うことになるため、第１下延部２４Ｃ、第２下延部２２Ｃおよび第３下延部２０Ｃに対応する部分を、手平部１２を構成する部材から除去している。
【００１５】
本実施の形態の縫製手袋１０では、掌面の小指付根より下方の位置から中指付根付近に向けて延在し、感情線と俗称される紋線に概ね相当する線から上側の部分を、第１下延部２４Ｃ、第２下延部２２Ｃおよび第３下延部２０Ｃが覆うように形成している。第１〜第３下延部２４Ｃ、２２Ｃ、２０Ｃが覆う部分は、これに限定されるものではないが、狭すぎるとき、または広すぎるときには、本考案の効果が得られなくなる場合がある。
【００１６】
上記した中指部２０、薬指部２２および小指部２４の各指部の指平部２０Ｂ、２２Ｂ、２４Ｂと指側面部を構成する第１〜第３一体部材を、各指部の指甲部２０Ａ、２２Ａ、２４Ａおよび手平部１２に対して縫合して縫製手袋１０を作製している。
【００１７】
本実施の形態の縫製手袋１０を装着すると、人差指部１８、中指部２０、薬指部２２および小指部２４の各指部において、指平部１８Ｂ、２０Ｂ、２２Ｂ、２４Ｂ側に指周りの縫目がないため、良好な装着感が得られる。
【００１８】
さらに、このような縫製手袋１０は、従来の縫製手袋では中指、薬指および小指の各指の付根に相当する位置に形成されていた縫目を、その位置より下方に形成することにより、各指の曲げ伸ばしの際に感覚への影響が比較的に大きい位置の縫目をなくし、しかも、掌の曲がるラインに沿うようにしているため、装着した状態でスポーツ用具を握るときのグリップ感を改善できる。
【符号の説明】
【００１９】
１０…縫製手袋
１２…手平部
１４…手甲部
１６…親指部
１８…人差指部
２０…中指部
２２…薬指部
２４…小指部
１８Ａ、２０Ａ、２２Ａ、２４Ａ…指平部
１８Ｂ、２０Ｂ、２２Ｂ、２４Ｂ…指甲部
２０Ｃ、２２Ｃ、２４Ｃ…下延部
【図１】
0003166431.tif 000003
【図２】
0003166431.tif 000004
【図３】
0003166431.tif 000005
【図４】
0003166431.tif 000006